(57)【特許請求の範囲】
【請求項１】
塔状構造物の傾倒方向に対して、塔状構造物の左右両側の基礎上に軸受を設け、該軸受に前記塔状構造物の下端部を貫通させた軸を取付け、該軸に一端を軸支させた一対のアームを設け、各アームの先端にセンターホール型ジャッキを回動自在に取付け、前記センターホール型ジャッキから送出されるワイヤロープの先端を前記塔状構造物の重心上方に取付けたリングに繋ぐと共に、前記塔状構造物の傾倒方向と反対の方向に前記アームに対応する補助用軸受を設け、該補助用軸受に補助用センターホール型ジャッキを回動自在に取付けて、前記補助用センターホール型ジャッキから送出されるワイヤロープの先端を前記アームの他端に繋いで、前記塔状構造物の底部に切込みを入れ、前記センターホール型ジャッキと補助用センターホール型ジャッキにより各ワイヤロープを伸縮調整させて、塔状構造物を傾倒方向に横倒し解体することを特徴とする塔状構造物の解体工法。
【発明の詳細な説明】
【０００１】
【発明の属する技術分野】
本発明は、塔状構造物、特に煙突の解体工法に関する。
【０００２】
【従来の技術】
塔状構造物、特に煙突の解体工法は、解体する煙突上部に仮設足場を設置し、その上で作業員がハンドブレーカーによって、煙突を切断解体して内部に落下させ、順次足場を下降させながら、解体作業を行っている。また、煙突を解体するのに、煙突上端に支持材を仮設して煙突内部上方に足場を設けることによって、ニプラーを吊下げて旋回するデッキを設けて煙突上部から順次解体するものが知られている。
しかし、上記従来の技術は仮設足場を設けたり、高所作業となるために作業員の安全性に欠ける。
そのために、塔状構造物特に煙突の解体工法については種々の工法が検討されている。
特開平６−１７５４３号公報には、煙突の解体工法が開示されている。
解体装置は、煙突昇降部と切断解体部とから構成されている。
煙突昇降部は、煙突に固着する上下段の固定具と、この固定具を固着及び開放する着脱手段と、両固定具間を伸縮する伸縮手段とを備えている。また、切断解体部は本体ステージ上を旋回する切断ステージと、このステージ上にある縦切断カッターと横切断カッターとからなる。上記解体装置を用いる場合は、煙突昇降部の伸縮手段によって本装置を昇降させる。本装置を煙突最上部に位置させてから、上下回動手段で縦切断カッターを下ろして煙突端部より縦切目を設け、前進後退手段により横切断カッターで横切目を設けて第一のブロック群を煙突内に落下させ、さらに落下された個所を縦切断カッターにより縦切目を入れ、その上、上記落下した第一ブロック群に隣接する残りの第二のブロック群を煙突周方向に横切目を入れることで切断する。そして順次下方に切断して解体する。
上記煙突の解体工法によれば、仮設足場を必要とせず、遠隔操作により解体できる。
【０００３】
【発明が解決しようとする課題】
しかしながら、特開平６−１７５４３号公報に開示された技術は以下の問題がある。
、上記のような解体装置を大型煙突の最上部に位置させる場合は、その準備が大変であり、また、切断の場合は、上段と下段の固定具を交互に固着及び開放させて、縦切断カッター、横切断カッターによりブロック群を切断し、内部に落下させるので、途中引っかからないようにする必要であり、作業が繁雑である。
【０００４】
また、鉄筋コンクリート製煙突、ライニング層を有する鉄製煙突等があり、それらの煙突に対して、縦切断カッター、横切断カッターの適正な選択が要求され、高価になり易く、また、切断途上でカッター交換をする場合は時間を要する。
【０００５】
本発明は上記のような問題点の解決を図ったものであり、煙突等の塔状構造物を、安全に、傾倒方向にゆっくりと横倒し、切断を容易に行うことができ、工期の短縮と高所作業を低減できる煙突の解体工法を提供することを目的とする。
【０００６】
【課題を解決するための手段】
本発明は、塔状構造物の傾倒方向に対して、塔状構造物の左右両側の基礎上に軸受を設け、該軸受に前記塔状構造物の下端部を貫通させた軸を取付け、該軸に一端を軸支させた一対のアームを設け、各アームの先端にセンターホール型ジャッキを回動自在に取付け、前記センターホール型ジャッキから送出されるワイヤロープの先端を前記塔状構造物の重心上方に取付けたリングに繋ぐと共に、前記塔状構造物の傾倒方向と反対の方向に前記アームに対応する補助用軸受を設け、該補助用軸受に補助用センターホール型ジャッキを回動自在に取付けて、前記補助用センターホール型ジャッキから送出されるワイヤロープの先端を前記アームの他端に繋いで、前記塔状構造物の底部に切込みを入れ、前記センターホール型ジャッキと補助用センターホール型ジャッキにより各ワイヤロープを伸縮調整させて、塔状構造物を傾倒方向に横倒し解体することを特徴とする塔状構造物の解体工法である。
【０００７】
本発明は、上記のような構成により、補助用センターホール型ジャッキのワイヤロープによる押さえによって、塔状構造物を傾倒方向に、安全に、ゆっくりと横倒ができ、地上で塔状構造物を切断等により容易に解体できるので、塔状構造物の解体工期が短縮され、また、高所作業を低減できる。
【０００８】
【発明の実施の形態】
以下に本発明の実施の形態を図によって詳述する。
図１は本発明の一実施の形態を示す側面図であり、図２は図１のＡ−Ａ線矢視の正面図であり、図３は図１の煙突を転倒させた状態を示す図であり、図４は本発明に用いるセンターホール型ジャッキの説明図である。ここでは本発明で対象とする塔状構造物の代表的なものとして煙突の解体工法について詳述する。
本発明に用いる煙突解体装置は、図１、図２に示すように、煙突１の傾倒方向に対して、煙突１の左右両側の基礎２上に設けた軸受３ａ、３ｂと、軸受３ａ、３ｂに取付ける煙突１の下端部を貫通させた軸４と、軸４の両端に軸支して設けられた一対のアーム５ａ、５ｂと、アーム５ａ、５ｂの先端に取付けられ、ワイヤロープ６ａ、６ｂの先端を煙突１の重心Ｗの上方に取付けたリング７に繋ぐ、図４に示すようなスイングフレーム１０ａ、１１ｂに収納されたセンターホール型ジャッキ８ａ、８ｂと、煙突１の傾倒方向と反対の方向に設けた補助ジャッキ用軸受１１ａ、１１ｂと、補助ジャッキ用軸受１１ａ、１１ｂに取付けられ、ワイヤロープ１４ａ、１４ｂの先端をアーム５ａ、５ｂの他端に繋ぐスイングフレーム１２ａ、１２ｂに収納された補助用センターホール型ジャッキ１３ａ、１３ｂとから構成されている。符号９ａ、９ｂはジャッキ用軸受である。また、符号１５は基礎であり、符号１６は地上を示す。
本発明では一般に知られているジャッキからセンターホール型ジャッキを選択して用いることが必要である。図４に示すように、センターホール型ジャッキ１７は、シリンダ１８と、先端部チャック１９と後端部チャック２０（煙突側）から構成されている。ワイヤロープ２１を手繰寄せる場合はピストンロッド２２が油圧によって伸長されることで、先端部チャック１９がワイヤロープ２１をチャックし、ワイヤロープ２１がストローク分手繰寄せられる。この時、後端部チャック２０はゆるみ、ピストンロッド２２が油圧によって縮退すると、後端部チャック２０はワイヤロープ２１をチャックし、先端部チャック１９がゆるみ、これによりワイヤロープ２１の位置が維持された状態でピストンロッド２２がシリンダ１８に収納される。この作動を繰返してワイヤロープ２１の所定長さが手繰寄せられる。ワイヤロープ２１を押出す場合は逆の作動により行われる。符号２３はスイングフレーム、符号２４はジャッキ用軸受である。符号２５はアームの先端部に設けた固定盤である。補助用センターホール型ジャッキも同じである。一対のセンターホール型ジャッキの操作は図示しない制御装置により一人の作業員で操作される。
次に上記した煙突解体装置によって煙突を解体する場合について詳述する。
煙突解体装置は解体する煙突１に、上記のように設置された後、センターホール型ジャッキ８ａ、８ｂと補助用センターホール型ジャッキ１３ａ、１３ｂの作動によって、ワイヤロープ６ａ、６ｂとワイヤロープ１２ａ、１２ｂを伸縮調整しながら、アーム５ａ、５ｂを図１に示すような適当な位置に回動させる。
次に、ワイヤロープ６ａ、６ｂとワイヤロープ１２ａ、１２ｂを張った状態で、煙突１の傾倒側の下端部に図示しないカッターによって切込みを入れる。
本発明では、下端部を貫通させた軸４の位置を煙突１の軸心９より、傾倒側の反対方向にずらして、切込みを入れた際に、煙突１が傾倒側に傾き易くしている。しかし、切込み方向については上記に限定されるものではなく、傾倒側に適当に傾倒できればよい。ワイヤロープ６ａ、６ｂとワイヤロープ１２ａ、１２ｂを張った状態で、煙突１は図１に示すように切込みにより次第に傾き、二点鎖線で示す状態になる。ここでは、アーム５ａ、５ｂを二点鎖線で示す状態に回動させながら、伸縮調整してワイヤロープ６ａ、６ｂとワイヤロープ１２ａ、１２ｂを張った状態にしている。煙突１が所定の角度まで傾いたら、煙突１の自重を利用しながら、反対側から切込みを入れる。
切込みと自重により、煙突１は図３に示すようにワイヤロープ６ａ、６ｂとワイヤロープ１２ａ、１２ｂを張った状態で、更に傾き、二点鎖線で示す状態になる。そして、ワイヤロープ６ａ、６ｂとワイヤロープ１２ａ、１２ｂにより押さえられ、抑制されながら、ゆっくりと地上に横倒する。
地上に横倒した煙突１は重機により簡単に潰されて、鉄筋コンクリート製煙突の場合は、コンクリートが破壊され、鉄筋部が簡単に切断される。また、ライニング層を有する鉄製煙突の場合は、ライニング層が剥離して鉄部分が簡単に切断される。
上記の解体による一対のセンターホール型ジャッキの操作は図示しない制御装置により一人の作業員で操作することができる。
本発明の解体工法によれば、高さ８５ｍのライニング層を有する鉄製煙突の解体は、準備、解体、取片付けによる全工期が従来の上部からの切断による解体に比較して２／３以下に短縮できる。
【０００９】
以上は煙突の解体工法について述べたが、本発明は、他の塔状構造物等にも適用でき、また、形状は円筒状に限らず角状等にも適用できる。また、コンクリート製のような欠け易い構造物等の場合には、下端部の貫通孔にスリーブを挿入して補強して、軸を貫通させることができる。
【００１０】
【発明の効果】
以上のように、本発明は、補助用ジャッキのワイヤロープによる押さえによって、煙突等の塔状構造物を傾倒方向に、安全に、ゆっくりと横倒しができ、地上で塔状構造物を切断等により容易に解体できるので、塔状構造物の解体工期が短縮され、また、高所作業を低減できる。
【図面の簡単な説明】
【図１】本発明の一実施の形態を示す側面図である。
【図２】図１のＡ−Ａ線矢視の正面図である。
【図３】図１の煙突を転倒させた状態を示す図である。
【図４】本発明に用いるセンターホール型ジャッキの説明図である。
【符号の説明】
１  煙突
２  基礎
３ａ、３ｂ  軸受
４  軸
５ａ、５ｂ  アーム
６ａ、６ｂ、１４ａ、１４ｂ、２１  ワイヤロープ
７  リング
１０ａ、１０ｂ、１２ａ、１２ｂ２３  スイングフレーム
８ａ、８ｂ、１７センターホール型ジャッキ
９ａ、９ｂ２４  ジャッキ用軸受
１１ａ、１１ｂ  補助ジャッキ用軸受
１３ａ、１３ｂ  補助用センターホール型ジャッキ
１５  基礎
１６  地上
１８  シリンダ
１９  先端部チャック
２０  後端部チャック
２２  ピストンロッド
２５  固定盤
【図１】
0003971858.tif 000002
【図２】
0003971858.tif 000003
【図３】
0003971858.tif 000004
【図４】
0003971858.tif 000005